(57)【要約】【課題】色分解プリズムを構成する各プリズム間の取付精度を維持しつつ、取付タクトを短縮し、量産コストの低減を図ることができる色分解プリズムの製造方法を提供する。【解決手段】Ｂプリズム２とＲプリズム３とを、互いの接合面２ｃに対するＢプリズム２の出射面２ｂ及びＲプリズム３の出射面３ａの位置決めを行う冶具１０を用いて、接合面２ｃ内の任意の一点からＢプリズム２の出射面２ｂまでの光路長及びＲプリズム３の出射面３ａまでの光路長を互いに等しくして接合させた後に、Ｂプリズム２とＧプリズム１とを、互いの接合面２ｄ内の任意の一点からＧプリズム１の出射面１ａまでの光路長及びＲプリズム３の出射面３ａまでの光路長を互いに等しくして接合させる。【選択図】図１
2007333919.tif 000002
【特許請求の範囲】
【請求項１】
入射面及び緑色帯域光の出射面を有する第１のプリズムに、青色帯域光の出射面を有する第２のプリズムが接合され、この第２のプリズムに、赤色帯域光の出射面を有する第３のプリズムが接合されてなり、前記入射面への入射光を赤色帯域光、緑色帯域光及び青色帯域光に分解し、これら各色帯域光を前記各出射面から出射する色分解プリズムを製造する色分解プリズムの製造方法であって、
前記第２のプリズムと前記第３のプリズムとを、互いの接合面に対する青色帯域光の出射面及び赤色帯域光の出射面の位置決めを行う冶具を用いて、前記接合面内の任意の一点から青色帯域光の出射面までの光路長及び赤色帯域光の出射面までの光路長を互いに等しくして接合させた後に、
前記第２のプリズムと前記第１のプリズムとを、互いの接合面内の任意の一点から緑色帯域光の出射面までの光路長及び赤色帯域光の出射面までの光路長を互いに等しくして接合させる
ことを特徴とする色分解プリズムの製造方法。
【請求項２】
青色帯域光の出射面を有する第２のプリズムに、赤色帯域光の出射面を有する第３のプリズムを接合した後に、この第２のプリズムに、入射面及び緑色帯域光の出射面を有する第１のプリズムを接合して色分解プリズムを製造する色分解プリズムの製造冶具であって、
前記第２のプリズムと前記第３のプリズムとの接合面を位置決めする第１の位置決め手段と、この接合面に対する青色帯域光の出射面の位置決めを行う第２の位置決め手段と、前記接合面に対する赤色帯域光の出射面の位置決めを行う第３の位置決め手段と
を備え、
前記接合面内の任意の一点から青色帯域光の出射面までの光路長及び赤色帯域光の出射面までの光路長を互いに等しくして前記第２のプリズム及び前記第３のプリズムを保持する
ことを特徴とする色分解プリズムの製造冶具。
【請求項３】
入射面及び緑色帯域光の出射面を有する第１のプリズムに、青色帯域光の出射面を有する第２のプリズムが接合され、この第２のプリズムに、赤色帯域光の出射面を有する第３のプリズムが接合されてなり、前記入射面への入射光を赤色帯域光、緑色帯域光及び青色帯域光に分解し、これら各色帯域光を前記各出射面から出射する色分解プリズムであって、
前記第２のプリズムと前記第３のプリズムとは、互いの接合面に対する青色帯域光の出射面及び赤色帯域光の出射面の位置決めを行う冶具を用いて、前記接合面内の任意の一点から青色帯域光の出射面までの光路長及び赤色帯域光の出射面までの光路長が互いに等しくしなされて接合されており、
前記第２のプリズムと前記第１のプリズムとは、互いの接合面内の任意の一点から緑色帯域光の出射面までの光路長及び赤色帯域光の出射面までの光路長を互いに等しくなされて接合されている
ことを特徴とする色分解プリズム。
【発明の詳細な説明】
【技術分野】
【０００１】
本発明は、ビデオカメラや各種カメラレンズにおいて使用される色分解プリズム及びそのような色分解プリズムの製造方法、製造冶具に関する。
【背景技術】
【０００２】
ビデオカメラや各種カメラレンズにおいては、入射光を互いに異なる波長の光、例えば、光の３原色（Ｒ（赤色）、Ｇ（緑色）、Ｂ（青色））に分解して撮像する色分解プリズムが使用されている。このような色分解プリズムによって色分解されたＲ、Ｇ、Ｂの各原色帯域光は、固体撮像素子（ＣＣＤ、ＭＯＳ等）によって受光される。
【０００３】
このような色分解プリズムは、複数のプリズムと、これらプリズムのうちの少なくとも一に形成された色分解膜とからなり、これら複数のプリズムが互いの光学面を接合されることによって構成されている。
【０００４】
このような色分解プリズムを備えたビデオカメラは、いわゆる「３ＣＣＤカメラシステム」、あるいは、「３ＭＯＳカメラシステム」と称される。「３ＣＣＤカメラシステム」は、色分解プリズムを用いずにカラーフィルタ等によって色分解を行って１枚の撮像素子によって受光するビデオカメラに比較して、色再現性などにおいて良好な画質の撮像が行える。そのため、「３ＣＣＤカメラシステム」は、従来、業務用ビデオカメラとして使用されてきたが、近年においては、民生用ビデオカメラとしても使用されており、量産コストの低減や小型化の要求が高まっている。
【０００５】
この色分解プリズムは、３個のプリズム（Ｇプリズム、Ｂプリズム及びＲプリズム）によって構成されている。このような色分解プリズムとして、特許文献１には、全てのプリズムをエアーギャップを設けずに密着接合させた簡素な構成の色分解プリズム（ギャップレスプリズム）が記載されている。
【０００６】
この色分解プリズムは、図８に示すように、撮像レンズからの入射光Ａが入射されるＧプリズム１０１と、このＧプリズム１０１に密着接合されたＢプリズム１０２と、このＢプリズム１０２に密着接合されたＲプリズム１０３とを有して構成されている。Ｇプリズム１０１とＢプリズム１０２との間には、緑色帯域光を反射する色分解膜である第１のダイクロイック膜１０４が形成され、Ｂプリズム１０２とＲプリズム１０３との間には、青色帯域光を反射する色分解膜である第２のダイクロイック膜１０５が形成されている。なお、Ｇプリズム１０１には、ゴースト光を止めるための遮光溝が設けてある。
【０００７】
この色分解プリズムにおいては、図示しない撮像レンズからの入射光Ａは、Ｇプリズム１０１を経て第１のダイクロイック膜１０４に至り、この第１のダイクロイック膜１０４において、緑色帯域光のみが反射され、他の色の成分が透過されることによって、色分解される。第１のダイクロイック膜１０４において反射された緑色帯域光は、Ｇプリズム１０１の内面で全反射された後、このＧプリズム１０１の出射面より出射して、緑色帯域光用撮像素子１０６によって受光される。
【０００８】
第１のダイクロイック膜１０４を透過した光は、Ｂプリズム１０２を経て第２のダイクロイック膜１０５に至り、この第２のダイクロイック膜１０５において、青色帯域光のみが反射され、他の色の成分が透過されることによって、色分解される。第２のダイクロイック膜１０５において反射された青色帯域光は、Ｂプリズム１０２の出射面より出射して、青色光用撮像素子１０７によって受光される。なお、Ｂプリズム１０２の出射面には、Ｂトリミングフィルタ１０２ａが密着接合されている。
【０００９】
第２のダイクロイック膜１０５を透過した光（赤色帯域光）は、Ｒプリズム１０３を経て、Ｒプリズム１０３の出射面より出射して、赤色光用撮像素子１０８によって受光される。
【００１０】
このようにして、この色分解プリズムにおいては、Ｇプリズム１０１が緑色帯域光のみを緑色光用撮像素子１０６に導光し、Ｂプリズム１０２が青色帯域光のみを青色光用撮像素子１０７に導光し、また、Ｒプリズム１０３が赤色帯域光のみを赤色光用撮像素子１０８に導光する。
【００１１】
このような色分解プリズムの製造においては、Ｇプリズム１０１に対して、Ｂプリズム１０２及びＲプリズム１０３は、Ｂプリズム１０２の出射面及びＲプリズム１０３の出射面ヘの光路長が一致するように接合される。
【００１２】
そして、緑色光用撮像素子１０６、青色光用撮像素子１０７及び赤色光用撮像素子１０８のそれぞれについては、レジストレーション調整、あおり調整、バックフォーカス調整等の位置調整を行った後に固定する。この場合、緑色光用撮像素子１０６、青色光用撮像素子１０７及び赤色光用撮像素子１０８は、色分解プリズムの対応する出射面に対して、空気層を介して保持された状態となる。
【００１３】
【特許文献１】特開昭５０−１５９６１８号公報
【発明の開示】
【発明が解決しようとする課題】
【００１４】
前述のような色分解プリズムの製造においては、量産コストの低減と品質確保とを両立させる観点から、製造工程を煩雑化することなく、この色分解プリズムを構成する各プリズム同士の取付精度を維持することが重要である。
【００１５】
色分解プリズムにおいて、Ｇプリズム１０１内における光路長は、Ｇプリズム１０１そのものの加工精度によって決められている。これに対し、Ｂプリズム１０２及びＲプリズム１０３内における光路長は、Ｂプリズム１０２のＧプリズム１０１に対する取付精度及びＲプリズム１０３のＢプリズム１０２に対する取付精度によって決まる。
【００１６】
そのため、従来、高精度の組立を行うため、レーザ光を用いてＢプリズム１０２及びＲプリズム１０３の射出面の位置を測定し、この測定結果をフィードバックしてＢプリズム１０２及びＲプリズム１０３の位置調整を行ったうえで、取付（接着）を行う製造方法が採用されている。
【００１７】
この製造方法においては、Ｂプリズム１０２及びＲプリズム１０３の形状のバラツキを吸収し、高精度の組立を実現することができるが、一方で、工程が複雑であり、組立に多大の時間と手間を要するという問題がある。
【００１８】
前述のような量産コストの低減と品質確保との両立という観点からは、Ｇプリズム１０１に対するＢプリズム１０２及びＲプリズム１０３の取付精度を維持しつつ、取付タクトの短縮を図ることが重要であり、新規な製造方法の提案が望まれているところである。
【００１９】
そこで、本発明は、前述の実情に鑑みて提案されるものであって、色分解プリズムを構成する各プリズム間の取付精度を維持しつつ、取付タクトを短縮し、量産コストの低減を図ることができる色分解プリズムの製造方法を提供し、また、このような色分解プリズムの製造方法の実現に適した色分解プリズムの製造冶具を提供し、このような色分解プリズムの製造方法により製造された色分解プリズムを提供することを目的とする。
【課題を解決するための手段】
【００２０】
〔構成１〕
前述の課題を解決し、前記目的を達成するため、本発明に係る色分解プリズムの製造方法は、入射面及び緑色帯域光の出射面を有する第１のプリズムに青色帯域光の出射面を有する第２のプリズムが接合され、この第２のプリズムに赤色帯域光の出射面を有する第３のプリズムが接合されてなり、入射面への入射光を赤色帯域光、緑色帯域光及び青色帯域光に分解し、これら各色帯域光を各出射面から出射する色分解プリズムを製造する色分解プリズムの製造方法であって、第２のプリズムと第３のプリズムとを、互いの接合面に対する青色帯域光の出射面及び赤色帯域光の出射面の位置決めを行う冶具を用いて接合面内の任意の一点から青色帯域光の出射面までの光路長及び赤色帯域光の出射面までの光路長を互いに等しくして接合させた後に、第２のプリズムと第１のプリズムとを、互いの接合面内の任意の一点から緑色帯域光の出射面までの光路長及び赤色帯域光の出射面までの光路長を互いに等しくして接合させることを特徴とするものである。
【００２１】
〔構成２〕
本発明に係る色分解プリズムの製造冶具は、青色帯域光の出射面を有する第２のプリズムに赤色帯域光の出射面を有する第３のプリズムを接合した後に、この第２のプリズムに入射面及び緑色帯域光の出射面を有する第１のプリズムを接合して色分解プリズムを製造する色分解プリズムの製造冶具であって、第２のプリズムと第３のプリズムとの接合面を位置決めする第１の位置決め手段と、この接合面に対する青色帯域光の出射面の位置決めを行う第２の位置決め手段と、接合面に対する赤色帯域光の出射面の位置決めを行う第３の位置決め手段とを備え、接合面内の任意の一点から青色帯域光の出射面までの光路長及び赤色帯域光の出射面までの光路長を互いに等しくして第２のプリズム及び第３のプリズムを保持することを特徴とするものである。
【００２２】
〔構成３〕
本発明に係る色分解プリズムは、入射面及び緑色帯域光の出射面を有する第１のプリズムに青色帯域光の出射面を有する第２のプリズムが接合され、この第２のプリズムに赤色帯域光の出射面を有する第３のプリズムが接合されてなり、入射面への入射光を赤色帯域光、緑色帯域光及び青色帯域光に分解し、これら各色帯域光を各出射面から出射する色分解プリズムであって、第２のプリズムと第３のプリズムとは、互いの接合面に対する青色帯域光の出射面及び赤色帯域光の出射面の位置決めを行う冶具を用いて接合面内の任意の一点から青色帯域光の出射面までの光路長及び赤色帯域光の出射面までの光路長が互いに等しくしなされて接合されており、第２のプリズムと第１のプリズムとは、互いの接合面内の任意の一点から緑色帯域光の出射面までの光路長及び赤色帯域光の出射面までの光路長を互いに等しくなされて接合されていることを特徴とするものである。
【発明の効果】
【００２３】
本発明に係る色分解プリズムの製造方法においては、構成１を有することにより、第２のプリズムと第３のプリズムとを互いの接合面に対する青色帯域光の出射面及び赤色帯域光の出射面の位置決めを行う冶具を用いて接合面内の任意の一点から青色帯域光の出射面までの光路長及び赤色帯域光の出射面までの光路長を互いに等しくして接合させた後に、第２のプリズムと第１のプリズムとを互いの接合面内の任意の一点から緑色帯域光の出射面までの光路長及び赤色帯域光の出射面までの光路長を互いに等しくして接合させるので、各プリズム間の取付精度を維持しつつ、取付タクトを短縮して量産コストの低減を図ることができる。
【００２４】
また、本発明に係る色分解プリズムの製造冶具においては、構成２を有することにより、
第２のプリズムと第３のプリズムとの接合面を位置決めする第１の位置決め手段と、この接合面に対する青色帯域光の出射面の位置決めを行う第２の位置決め手段と、接合面に対する赤色帯域光の出射面の位置決めを行う第３の位置決め手段とを備え、接合面内の任意の一点から青色帯域光の出射面までの光路長及び赤色帯域光の出射面までの光路長を互いに等しくして第２のプリズム及び第３のプリズムを保持するので、各プリズム間の取付精度を維持しつつ、取付タクトが短縮され量産コストの低減が図られた色分解プリズムの製造方法を実現することができる。
【００２５】
そして、本発明に係る色分解プリズムにおいては、構成３を有することにより、第２のプリズムと第３のプリズムとは、互いの接合面に対する青色帯域光の出射面及び赤色帯域光の出射面の位置決めを行う冶具を用いて接合面内の任意の一点から青色帯域光の出射面までの光路長及び赤色帯域光の出射面までの光路長が互いに等しくしなされて接合されており、第２のプリズムと第１のプリズムとは、互いの接合面内の任意の一点から緑色帯域光の出射面までの光路長及び赤色帯域光の出射面までの光路長を互いに等しくなされて接合されているので、各プリズムの取付タクトが短縮され量産コストの低減が図られながら、各プリズム間の取付精度が維持されており、良好な光学性能が維持されている。
【００２６】
すなわち、本発明は、色分解プリズムを構成する各プリズム間の取付精度を維持しつつ、取付タクトを短縮し、量産コストの低減を図ることができる色分解プリズムの製造方法を提供し、また、このような色分解プリズムの製造方法の実現に適した色分解プリズムの製造冶具を提供し、このような色分解プリズムの製造方法により製造された色分解プリズムを提供することができるものである。
【発明を実施するための最良の形態】
【００２７】
以下、本発明を実施するための最良の形態について、図面を参照して説明する。
【００２８】
〔色分解プリズムの構成〕
図１は、本発明に係る色分解プリズムを用いた撮像装置の構成を示す側面図である。
【００２９】
本発明に係る色分解プリズムは、ビデオカメラや各種カメラレンズの撮像装置において、入射光を光の３原色に相当する赤色帯域光、緑色帯域光及び青色帯域光に分解するプリズムである。撮像装置は、図１に示すように、色分解プリズムと、この色分解プリズムによって色分解された赤色帯域光、緑色帯域光及び青色帯域光を受光する固体撮像素子（ＣＣＤ、ＭＯＳ等）６，７，８とから構成される。
【００３０】
この色分解プリズムは、図示しない撮像レンズからの入射光Ａが入射される第１のプリズムであるＧプリズム１と、このＧプリズム１に密着接合された第２のプリズムであるＢプリズム２と、このＢプリズム２に密着接合された第３のプリズムであるＲプリズム３とから構成されている。なお、各プリズム１，２，３は、「ＢＫ７」や「ＳＫ５」など、一般的な硝材によって形成されている。
【００３１】
Ｇプリズム１とＢプリズム２との間には、緑色帯域光を反射する色分解膜である第１のダイクロイック膜４が形成され、Ｂプリズム２とＲプリズム３との間には、青色帯域光を反射する色分解膜である第２のダイクロイック膜５が形成されている。なお、Ｇプリズム１には、ゴースト光を止めるための遮光溝が設けてある。
【００３２】
この色分解プリズムへの入射光Ａは、Ｇプリズム１を経て第１のダイクロイック膜４に至り、この第１のダイクロイック膜４において、緑色帯域光のみが反射され、他の色の成分が透過されることによって、色分解される。第１のダイクロイック膜４において反射された緑色帯域光は、Ｇプリズム１の内面で全反射された後、このＧプリズム１の出射面１ａより出射して、緑色光用撮像素子６によって受光される。
【００３３】
第１のダイクロイック膜４を透過した光は、Ｂプリズム２を経て第２のダイクロイック膜５に至り、この第２のダイクロイック膜５において、青色帯域光のみが反射され、他の色の成分が透過されることによって、色分解される。第２のダイクロイック膜５において反射された青色帯域光は、Ｂプリズム２の出射面２ａより出射して、青色光用撮像素子７によって受光される。Ｂプリズム２の出射面２ａには、ブルートリミングフィルタ９が密着接合されている。
【００３４】
なお、Ｂプリズム２にブルートリミングフィルタ９が接合されている場合においては、Ｂプリズム２を経た光束がブルートリミングフィルタ９より出射する面（ブルートリミングフィルタ９の表面）を、以下、「Ｂプリズム２の出射面２ｂ」という。
【００３５】
第２のダイクロイック膜５を透過した光（赤色帯域光）は、Ｒプリズム３を経て、Ｒプリズム３の出射面３ａより出射して、赤色光用撮像素子８によって受光される。
【００３６】
なお、このような色分解プリズムにおいては、従来、色分解プリズムの各出射面と対応する各固体撮像素子との間には、それぞれに各色のトリミングフィルタが設けられていた。しかし、近年では、コストダウンの要請や、緑色及び赤色のトリミングフィルタにはカドミウムが含まれていることなどの理由で、青色のトリミングフィルタ（ブルートリミングフィルタ）のみが使用されている。これは、ダイクロイック膜は角度依存性を有することから、青色か赤色のトリミングフィルタのいずれか一方は使う必要があるためである。ブルートリミングフィルタ９としては、例えば、「Ｂ３９０」のような色ガラス、あるいは、有機物質をガラス基材に塗装したものを使用することができる。
【００３７】
このようにして、この色分解プリズムにおいては、Ｇプリズム１が緑色帯域光のみを緑色光用撮像素子６に導光し、Ｂプリズム２が青色帯域光のみを青色光用撮像素子７に導光し、また、Ｒプリズム３が赤色帯域光のみを赤色光用撮像素子８に導光する。
【００３８】
この撮像装置の製造においては、緑色光用撮像素子６、青色光用撮像素子７及び赤色光用撮像素子８は、Ｇプリズム１の出射面１ａ、Ｂプリズム２の出射面２ｂ及びＲプリズム３の出射面３ａに対して、空気層を介して保持されている。これら緑色光用撮像素子６、青色光用撮像素子７及び赤色光用撮像素子８は、レジストレーション調整、あおり調整、バックフォーカス調整をなれた後に、固定されている。
【００３９】
ここで、Ｇプリズム１、Ｂプリズム２（ブルートリミングフィルタ９を含む）及びＲプリズム３は、プリズム中の光路が互いに等しくなるように構成されている。
【００４０】
〔色分解プリズムの製造方法〕
図２は、本発明に係る撮像装置の製造方法を示す工程図である。
【００４１】
本発明に係る色分解プリズムを製造するには、まず、Ｇプリズム１、Ｂプリズム２及びＲプリズム３をそれぞれ作成し、また、これらプリズム１，２，３の所定の光学面に各ダイクロイック膜４，５を形成しておく。各プリズム１，２，３は、ガラス材料の粗加工（研削、溝入れ等）及び仕上げ加工（ラップ、ポリッシュ）の各工程を経て作成される。また、各ダイクロイック膜４，５は、蒸着等の成膜加工工程によって作成される。
【００４２】
また、Ｂプリズム２には、片面ＡＲコートを施したブルートリミングフィルタ９を密着接合（接着）させておく。このように、Ｂプリズム２にブルートリミングフィルタ９を接合させた場合においては、Ｂプリズム２を経た光束がブルートリミングフィルタ９より出射する面（ブルートリミングフィルタ９の表面）を、以下、「Ｂプリズム２の出射面２ｂ」という。
【００４３】
そして、本発明に係る色分解プリズムプリズムの製造方法においては、まず、Ｂプリズム２及びＲプリズム３を密着接合（接着）させ、次に、Ｂプリズム２をＧプリズム１に密着接合（接着）させる。
【００４４】
〔第１の実施の形態〕
図２は、本発明に係る色分解プリズムの製造方法の第１の実施の形態における製造工程を示す平面図である。
【００４５】
この色分解プリズムの製造においては、図２に示すように、まず、Ｂプリズム２とＲプリズム３とを接合させ、接着する。このとき、Ｂプリズム２及びＲプリズム３の接合面２ｃ内の任意の一点からＢプリズム２の出射面２ｂまでの光路長及びＲプリズム３の出射面３ａまでの光路長が、互いに等しくなるようにして、接合させる。
【００４６】
このようなＢプリズム２とＲプリズム３との位置決めには、本発明に係る色分解プリズムの製造冶具１０を用いて行う。この製造冶具１０により、Ｂプリズム２とＲプリズム３との接合面２ｃに対するＢプリズム２の出射面２ｂ及びＲプリズム３の出射面３ａの位置決めが行われる。
【００４７】
図３は、本発明に係る色分解プリズムの製造冶具の第１の実施の形態における構成を示す断面図である。
【００４８】
この製造冶具１０は、ステンレスやセラミック等の一般的な材質によって形成され、図３に示すように、平板状の基台１１を有している。この基台１１の上面中央部には、Ｂプリズム２のＲプリズム３に対する接合面２ｃを位置決めするための第１の位置決め手段となる段差部１２が設けられている。この段差部１２は、直線状の段差であり、Ｂプリズム２のＲプリズム３に対する接合面２ｃの一側部分が側面部に突き当てられることにより、この接合面２ｃの位置決めを行う。
【００４９】
基台１１の上面部には、段差部１２の一方側の所定距離に位置して、Ｂプリズム２の接合面２ｃに対するＢプリズム２の出射面２ｂの位置決めを行う第２の位置決め手段となる第１のピン１３が垂直に植設されている。この製造冶具１０において、Ｂプリズム２は、側面部を基台１１の上面に密着させ、接合面２ｃを段差部１２の側面部に密着させ、さらに、出射面２ｂを第１のピン１３に当接させることによって、基台１１に対する位置決めがなされる。
【００５０】
そして、基台１１の上面部には、段差部１２の他方側の所定距離に位置して、Ｂプリズム２の接合面２ｃに対するＲプリズム３の出射面３ａの位置決めを行う第３の位置決め手段となる第２のピン１４が垂直に植設されている。この製造冶具１０において、Ｒプリズム３は、側面部を基台１１の上面に密着させ、Ｂプリズム２に対する接合面をＢプリズム２の接合面２ｃに密着させ、さらに、出射面３ａを第２のピン１４に当接させることによって、Ｂプリズム２に対する位置決めがなされる。
【００５１】
このようにして、Ｂプリズム２とＲプリズム３とが互いに位置決めされた状態においては、図２中Ｌ１で示す段差部１２から第１のピン１３とＢプリズム２の出射面２ｃとの当接点までの距離と、図２中Ｌ２で示す段差部１２から第２のピン１４とＲプリズム３の出射面３ａとの当接点までの距離とが等しくなっている。そして、Ｂプリズム２及びＲプリズム３の形状精度により、Ｂプリズム２の接合面２ｃに対するＢプリズム２の出射面２ｃの角度と、Ｂプリズム２の接合面２ｃに対するＲプリズム３の出射面３ａの角度とが等しいことによって、Ｂプリズム２の接合面２ｃ内の任意の一点から、Ｂプリズム２の出射面２ｃまでの光路長及びＲプリズム３の出射面３ａまでの光路長が互いに等しくなっている。
【００５２】
Ｂプリズム２及びＲプリズム３は、製造冶具１０により、このような位置関係となされて保持された状態で、紫外線硬化型接着剤等によって、互いに接合（接着）される。
【００５３】
次に、Ｒプリズム３が接合されたＢプリズム２に対して、Ｇプリズム１を接合させる。このとき、Ｂプリズム２のＧプリズム１に対する接合面２ｄ内の任意の一点から、Ｇプリズム１の出射面１ａまでの光路長と、Ｒプリズム３の出射面３ａまでの光路長とが、互いに等しくなるようにして、Ｂプリズム２とＧプリズム１との位置決めを行う。
【００５４】
ここで、Ｂプリズム２のＧプリズム１に対する接合面２ｄ内の任意の一点からＧプリズム１の出射面１ａまでの光路長（Ｌ３＋Ｌ４）は、Ｇプリズム１の形状精度によって決められるので、この光路長（Ｌ３＋Ｌ４）に対して、Ｂプリズム２の接合面２ｄ内の任意の一点からＲプリズム３の出射面３ａまでの光路長（Ｌ５）が等しくなるように、Ｂプリズム２のＧプリズム１に対する位置関係を調整すればよい。
【００５５】
すなわち、図１中に矢印Ｃ１で示すように、Ｂプリズム２をＧプリズム１の出射面１ａに近づく方向に移動させると、Ｂプリズム２の接合面２ｄ内の点からＲプリズム３の出射面３ａまでの光路長は長くなり、図１中に矢印Ｃ２で示すように、Ｂプリズム２をＧプリズム１の出射面１ａから遠ざかる方向に移動させると、Ｂプリズム２の接合面２ｄ内の点からＲプリズム３の出射面３ａまでの光路長は短くなる。そこで、Ｂプリズム２とＧプリズム１との位置関係を、第２の冶具を用いて位置決めすることもできる。
【００５６】
図４は、本発明に係る色分解プリズムの製造方法における第２の冶具の構成を示す平面図である。
【００５７】
すなわち、前述のように、製造冶具１０によって位置決めされているＢプリズム２に対する所定位置に、第２の冶具となる第３のピン１５を設け、この第３のピン１５をＧプリズム１の出射面１ａに当接させることにより、Ｂプリズム２とＧプリズム１との位置関係が決定される。このとき、Ｇプリズム１は、側面部を基台１１の上面に密着させ、Ｂプリズム２に対する接合面をＢプリズム２の接合面２ｄに密着させ、さらに、出射面１ａを第３のピン１５に当接させることによって、Ｂプリズム２に対する位置決めがなされる。
【００５８】
Ｇプリズム１及びＢプリズム２は、第３のピン１５により、このような位置関係となされて保持された状態で、紫外線硬化型接着剤等によって、互いに接合（接着）される。
【００５９】
〔第２の実施の形態〕
図５は、本発明に係る色分解プリズムの製造方法の第２の実施の形態における製造工程を示す平面図である。
【００６０】
この実施の形態は、図５に示すように、第１の位置決め手段として、前述の実施の形態における段差部１２に代えて、第４及び第５のピン１６，１７を基台１１上に植設し、これら第４及び第５のピン１６，１７を有する製造冶具１０を用いて、Ｂプリズム２の製造冶具１０に対する位置決めを行うものである。
【００６１】
すなわち、この実施の形態における製造冶具１０においては、Ｂプリズム２は、側面部を基台１１の上面に密着させ、接合面２ｃを第４及び第５のピン１６，１７に当接させ、さらに、出射面２ｂを第１のピン１３に当接させることによって、基台１１に対する位置決めがなされる。
【００６２】
このようにして位置決めされたＢプリズム２に対するＲプリズム３の位置決め及び接合（接着）については、前述した第１の実施の形態と同様に、第２のピン１４を用いて行う。また、Ｂプリズム２に対するＧプリズム１の位置決め及び接合（接着）についても、前述した第１の実施の形態と同様に行う。
【００６３】
〔第３の実施の形態〕
図６は、本発明に係る色分解プリズムの製造方法の第３の実施の形態における製造工程を示す平面図である。
【００６４】
この実施の形態は、図６に示すように、第１の位置決め手段として、前述の実施の形態における段差部１２に代えて、第４のピン１６を基台１１上に植設するとともに、第２の位置決め手段として、前述の実施の形態における第１のピン１３に加えて、第５のピン１７を基台１１上に植設し、これら第４及び第５のピン１６，１７を有する製造冶具１０を用いて、Ｂプリズム２の製造冶具１０に対する位置決めを行うものである。
【００６５】
すなわち、この実施の形態における製造冶具１０においては、Ｂプリズム２は、側面部を基台１１の上面に密着させ、接合面２ｃを第４のピン１６に当接させ、さらに、出射面２ｂを第１及び第５のピン１３，１７に当接させることによって、基台１１に対する位置決めがなされる。
【００６６】
このようにして位置決めされたＢプリズム２に対するＲプリズム３の位置決め及び接合（接着）については、前述した第１の実施の形態と同様に、第２のピン１４を用いて行う。また、Ｂプリズム２に対するＧプリズム１の位置決め及び接合（接着）についても、前述した第１の実施の形態と同様に行う。
【００６７】
〔第４の実施の形態〕
図７は、本発明に係る色分解プリズムの製造方法の第４の実施の形態における製造工程を示す斜視図である。
【００６８】
前述した第１乃至第３の実施の形態において、各プリズム１，２，３は、図７に示すように、光束の入射方向に対して側方に複数のプリズムが一体的に連結した状態の長尺状のプリズムブロック１Ｂ，２Ｂ，３Ｂであってもよい。すなわち、これらプリズムブロック１Ｂ，２Ｂ，３Ｂについて、前述した各実施の形態におけると同様の位置決め及び接合（接着）を行った後に、各プリズムブロック１Ｂ，２Ｂ，３Ｂの長手方向に直交する方向に切断することによって、各プリズム１，２，３が接合された状態の色分解プリズムを製造することができる。
【００６９】
〔撮像装置の製造方法〕
前述のようにして製造された色分解プリズムを用いて、撮像装置を製造するには、まず、色分解プリズムを台板に接着し、緑色光用撮像素子６、青色光用撮像素子７及び赤色光用撮像素子８を、Ｇプリズム１の出射面１ａ、Ｂプリズム２の出射面（ブルートリミングフィルタ９の表面）２ｂ及びＲプリズム３の出射面３ａに対向させ、空気層を介した状態で、レジストレーション調整、あおり調整、バックフォーカス調整を経て、固定する。これら緑色光用撮像素子６、青色光用撮像素子７及び赤色光用撮像素子８は、空中接着と称される状態で固定する。
【００７０】
なお、前述した各実施の形態において示した各部の具体的な形状及ぴ構造は、いずれも本発明を実施するにあたっての一具体例に過ぎず、これらによって本発明の技術的範囲が限定的に解釈されることがあってはならない。
【図面の簡単な説明】
【００７１】
【図１】本発明に係る色分解プリズムを用いた撮像装置の構成を示す側面図である。
【図２】本発明に係る色分解プリズムの製造方法の第１の実施の形態における製造工程を示す平面図である。
【図３】本発明に係る色分解プリズムの製造冶具の第１の実施の形態における構成を示す断面図である。
【図４】本発明に係る色分解プリズムの製造方法における第２の冶具の構成を示す平面図である。
【図５】本発明に係る色分解プリズムの製造方法の第２の実施の形態における製造工程を示す平面図である。
【図６】本発明に係る色分解プリズムの製造方法の第３の実施の形態における製造工程を示す平面図である。
【図７】本発明に係る色分解プリズムの製造方法の第４の実施の形態における製造工程を示す斜視図である。
【図８】従来の色分解プリズムを用いた撮像装置の構成を示す側面図である。
【符号の説明】
【００７２】
１    Ｇプリズム
１ａ  出射面
２    Ｂプリズム
２ａ  出射面
２ｂ  出射面
２ｃ  接合面
２ｄ  接合面
３    Ｒプリズム
３ａ  出射面
４    第１のダイクロイック膜
５    第２のダイクロイック膜
６    緑色光用撮像素子
７    青色光用撮像素子
８    赤色光用撮像素子
９    ブルートリミングフィルタ
１０    製造冶具
１１    基台
１２    段差部
１３    第１のピン
１４    第２のピン
１５    第３のピン
１６    第４のピン
１７    第５のピン
Ａ    入射光
【図１】
2007333919.tif 000003
【図２】
2007333919.tif 000004
【図３】
2007333919.tif 000005
【図４】
2007333919.tif 000006
【図５】
2007333919.tif 000007
【図６】
2007333919.tif 000008
【図７】
2007333919.tif 000009
【図８】
2007333919.tif 000010